(57)【要約】【課題】本考案は、十分な風防機能を有し、余分な占有スペースを確保する必要がなく、対象物の出入も容易で作業性が良く、しかも脱臭機能を備えた脱臭機能付風防ケースを提供する。【解決手段】本考案の脱臭機能付風防ケース１は、平行配置した両側板２ａ、２ｂと、この両側板２ａ、２ｂの背面側を連結した背面体１１と、両側板２ａ、２ｂ及び背面体１１の上部を囲むように配置されてこれらとともに水分計６０を収用可能な内部空間５０を形成し、この内部空間５０側からの臭気の脱臭を行う脱臭フィルタ２３を着脱可能に組み込んだ上蓋体２１と、上蓋体２１の正面側に組み込まれ、両側板２ａ、２ｂ及び上蓋体２１の正面側にて画される開口領域を上下方向の巻き出し展開、巻き込み収納にて閉塞、解放する透明のスクリーン３２を有するロールスクリーン３１と、背面体１１に設けた開口部分に背面後方へ屈曲可能な状態で添設した背面シート１３と有するものである。【選択図】図４
0003120612.tif 000002
【実用新案登録請求の範囲】
【請求項１】
平行配置した両側板と、
この両側板の背面側を連結した背面体と、
両側板及び背面体の上部に配置されて前記両側板、背面体とともに測定器を収用可能な内部空間を形成し、この内部空間側からの臭気の脱臭を行う脱臭部材を組み込んだ上蓋体と、
前記上蓋体の正面側に組み込まれ、前記両側板及び上蓋体の正面側にて画される開口領域を上下方向の巻き出し展開、巻き込み収納にて閉塞、解放するスクリーンを有する開口閉塞・解放手段と
を有することを特徴とする脱臭機能付風防ケース。
【請求項２】
平行配置した矩形状の両側板と、
この両側板の背面側を連結した略矩形状の背面体と、
両側板及び背面体の上部を囲むように配置されて前記両側板、背面体とともに測定器を収用可能な内部空間を形成し、この内部空間側からの臭気の脱臭を行う脱臭部材を組み込んだ略矩形状の上蓋体と、
前記上蓋体の正面側に組み込まれ、前記両側板及び上蓋体の正面側にて画される開口領域を上下方向の巻き出し展開、巻き込み収納にて閉塞、解放するスクリーンを有するロールスクリーンと、
前記背面体に設けた開口部分に、一端が背面体に固着され、他端側が背面後方へ屈曲可能な状態で添設した背面シートと、
を有することを特徴とする脱臭機能付風防ケース。
【請求項３】
透明材により形成され平行配置した矩形状の両側板と、
この両側板の背面側を連結した透明材により形成された略矩形状の背面体と、
両側板及び背面体の上部を囲むように配置されて前記両側板、背面体とともに測定器を収用可能な内部空間を形成し、この内部空間側からの臭気の脱臭を行うハニカム構造で臭吸着剤を塗布した脱臭フィルタを着脱可能に組み込んだ略矩形状の上蓋体と、
前記上蓋体の正面側に組み込まれ、前記両側板及び上蓋体の正面側にて画される開口領域を上下方向の巻き出し展開、巻き込み収納にて閉塞、解放する透明のスクリーンを有するロールスクリーンと、
前記背面体に設けた開口部分に、一端が背面体に固着され、他端側が背面後方へ屈曲可能な状態で添設した透明の背面シートと、
前記両側板の正面側の下端部に配置した正面補強体と、
を有することを特徴とする脱臭機能付風防ケース。
【請求項４】
透明材により形成され平行配置されるとともに、正面側に複数箇所のスクリーン係止用の受凹部を設け、下部近傍に空気穴を穿設した矩形状の両側板と、
この両側板の背面側に対して、摘みネジのネジ込み挿通及びネジ込み挿通解除によって着脱可能に連結された透明材により形成された略矩形状の背面体と、
両側板及び背面体の上部を囲むように、かつ、摘みネジのネジ込み挿通及びネジ込み挿通解除によって着脱可能に配置され、前記両側板、背面体とともに測定器を収用可能な内部空間を形成し、この内部空間側からの臭気の脱臭を行うハニカム構造で臭吸着剤を塗布した脱臭フィルタを着脱可能に組み込んだ略矩形状の上蓋体と、
前記上蓋体の正面側に組み込まれ、前記両側板及び上蓋体の正面側にて画される開口領域を上下方向の巻き出し展開、巻き込み収納にて閉塞、解放する透明で前記受凹部に係止可能な係止棒を端部に配置した透明のスクリーンを有するロールスクリーンと、
前記背面体に設けた開口部分に、一端が背面体に固着され、他端側が背面後方へ屈曲可能な状態で添設した透明の背面シートと、
前記両側板の正面側の下端部に摘みネジのネジ込み挿通及びネジ込み挿通解除によって着脱可能に配置した正面補強体と、
を有することを特徴とする脱臭機能付風防ケース。
【考案の詳細な説明】
【技術分野】
【０００１】
本考案は、脱臭機能付風防ケースに関し、詳しくは、各種測定器の測定部位の風防と、測定対象物が放つ悪臭の周囲への放散防止、拡散防止を図った脱臭機能付風防ケースに関するものである。
【背景技術】
【０００２】
例えば、精密天秤を有する測定器を使用する場合、その測定時に周囲の空気流の影響を受け、測定誤差が生じてしまう場合がある。このため、このような測定器の設置場所を風の影響を受けにくい場所とするか、又は、風防ケースを使用して空気流の影響を回避することが行われている。
【０００３】
また、加熱乾燥型水分計のような測定器の場合には、試料（例えば汚泥）によっては悪臭を発生するものが存在するため、この測定器を室内で使用する際に脱臭剤を配置する等、悪臭の放散防止、拡散防止対策が必要となる。
【０００４】
従来の風防ケースの構成例を、図７、図８に示す。図７に示す風防ケース１００は、測定器（図示せず）を収用可能な寸法を有する直方体状の箱形ケース本体１０１と、この箱形ケース本体１０１の正面に開閉具１０３を用いて上下方向に開閉可能に取り付けた開閉蓋１０２とを具備している。
【０００５】
また、図８に示す風防ケース１１０は、測定器（図示せず）を収用可能な寸法を有する直方体状の箱形ケース本体１１１と、この箱形ケース本体１１１の正面に開閉具１１３を用いて左右方向に開閉可能に取り付けた開閉蓋１１２とを具備している。
【０００６】
しかし、このような風防ケース１００、１１０の場合、開閉蓋１０２、１１２が上下又は左右に開閉される構成であるため、風防ケース１００、１１０の正面前方に開閉蓋１０２、１１２用のスペースを確保する必要があり、作業性の点及び占有スペースの点で不便である。
また、前記風防ケース１００、１１０の場合、悪臭の放散防止、拡散防止対策が何等施されていない。
【０００７】
特許文献１には、前後、左右四面の側板及び上部の脱着可能な蓋板を透明合成樹脂製とするとともに、全体として直方体状に形成され、上面に秤量皿を備えた秤本体上に設置するように構成した秤用風防ケースが提案されている。
【０００８】
しかし、この特許文献１の秤用風防ケースの場合にも、測定対象物が発する悪臭の放散防止、拡散防止対策は何等施されていない。
【特許文献１】特開２００３−１３０７２１号公報
【考案の開示】
【考案が解決しようとする課題】
【０００９】
本考案が解決しようとする問題点は、十分な風防機能を発揮するとともに、本体以外に余分な占有スペースを確保する必要がなく、対象物の出入も容易で作業性が良く、しかも測定対象物が悪臭を発する場合においてもこの悪臭を周囲に放散、拡散することがない風防ケースが存在しない点である。
【課題を解決するための手段】
【００１０】
本考案の脱臭機能付風防ケースは、平行配置した両側板と、この両側板の背面側を連結した背面体と、両側板及び背面体の上部に配置されて前記両側板、背面体とともに測定器を収用可能な内部空間を形成し、この内部空間側からの臭気の脱臭を行う脱臭部材を組み込んだ上蓋体と、前記上蓋体の正面側に組み込まれ、前記両側板及び上蓋体の正面側にて画される開口領域を上下方向の巻き出し展開、巻き込み収納にて閉塞、解放するスクリーンを有する開口閉塞・解放手段とを有することを最も主要な特徴とする。
【考案の効果】
【００１１】
本考案によれば、以下の効果を奏する。
請求項１記載の考案によれば、両側板、背面体、上蓋体及び開口閉塞・解放手段のスクリーンによって測定器を収用可能な内部空間を形成しているので、測定器に対する風防機能を発揮させることができる。また、開口閉塞・解放手段のスクリーンは、正面側の開口領域を上下方向の巻き出し展開、巻き込み収納にて閉塞、解放する構成であるため、風防ケース本体以外に余分な占有スペースを確保する必要がなく、測定用対象物の出入も容易で作業性が良好となる。更に、測定対象物が悪臭を発する場合においても、上蓋体に組み込んだ臭気の脱臭を行う脱臭部材によって悪臭を脱臭でき、悪臭が周囲に放散、拡散することが無くなる。
【００１２】
請求項２記載の考案によれば、開口閉塞・解放手段としてロールスクリーンを用いた構成により、請求項１記載の考案と同様な効果を発揮するとともに、背面体に設けた開口部分に、一端が背面体に固着され、他端側が背面後方へ屈曲可能背面シートを添設しているので、測定器の蓋が背面側に開くような構造である場合にも背面シートを背面後方へ屈曲させるだけでよく、異なる形状を有する測定器にも幅広く対応できる。
【００１３】
請求項３記載の考案によれば、両側板の正面側の下端部に正面補強体を配置しまた、脱臭部材としてハニカム構造で臭吸着剤を塗布した脱臭フィルタを用いた構成で請求項２記載の考案と同様な効果を発揮することに加え、両側板、背面体、背面シート及びスクリーンを透明としているので、内部空間における測定器の測定状態を外部から確認できる。
【００１４】
請求項４記載の考案によれば、請求項３記載の考案と同様な効果を発揮することに加え、両側板、背面体、上蓋体及び正面補強体を、摘みネジのネジ込み挿通及びネジ込み挿通解除によって着脱可能としていることから、測定現場で簡略に組み立て、また、測定終了後簡略に分解することができる。
【考案を実施するための最良の形態】
【００１５】
本考案は、十分な風防機能を発揮するとともに、本体以外に余分な占有スペースを確保する必要がなく、対象物の出入も容易で作業性が良く、しかも測定対象物が悪臭を発する場合においてもこの悪臭を周囲に放散、拡散することがない脱臭機能付風防ケースを提供するという目的を、透明材により形成され平行配置されるとともに、正面側に複数箇所のスクリーン係止用の受凹部を設け、下部近傍に空気穴を穿設した矩形状の両側板と、この両側板の背面側に対して、摘みネジのネジ込み挿通及びネジ込み挿通解除によって着脱可能に連結された透明材により形成された略矩形状の背面体と、両側板及び背面体の上部を囲むように、かつ、摘みネジのネジ込み挿通及びネジ込み挿通解除によって着脱可能に配置され、前記両側板、背面体とともに測定器を収用可能な内部空間を形成し、この内部空間側からの臭気の脱臭を行うハニカム構造で臭吸着剤を塗布した脱臭フィルタを着脱可能に組み込んだ略矩形状の上蓋体と、前記上蓋体の正面側に組み込まれ、前記両側板及び上蓋体の正面側にて画される開口領域を上下方向の巻き出し展開、巻き込み収納にて閉塞、解放する透明で前記受凹部に係止可能な係止棒を端部に配置した透明のスクリーンを有するロールスクリーンと、前記背面体に設けた開口部分に、一端が背面体に固着され、他端側が背面後方へ屈曲可能な状態で添設した透明の背面シートと、前記両側板の正面側の下端部に摘みネジのネジ込み挿通及びネジ込み挿通解除によって着脱可能に配置した正面補強体と、を有する構成により実現した。
【実施例】
【００１６】
以下に、本考案の実施例に係る脱臭機能付風防ケースについて図面を参照して詳細に説明する。
【００１７】
図１乃至図５に示す本実施例に係る脱臭機能付風防ケース１は、平行配置した左右一対で矩形状の両側板２ａ、２ｂと、この両側板２ａ、２ｂの背面側に配置した略矩形状の背面体１１と、両側板２ａ、２ｂ及び背面体１１の上部を囲むように配置した略矩形状の上蓋体２１と、上蓋体２１の正面側に組み込んだ透明のスクリーン３２を有する開口閉塞・解放手段であるロールスクリーン３１と、前記背面体１１の開口部分１２に添設した背面シート１３と、前記両側板２ａ、２ｂの正面側の下端部に配置した正面補強体４１とを有している。
【００１８】
この脱臭機能付風防ケース１は、前記両側板２ａ、２ｂ、背面体１１、上蓋体２１、更には前記スクリーン３２によって画される内部空間５０を形成し、この内部空間５０により、測定器、例えば図４に示すような加熱乾燥型の水分計６０（例えば、本願出願人が先に提案した特開平９−２５７６８０号の赤外線加熱乾燥型水分計等）の上面及び正面、背面、両側面の外方全体を囲むように構成している。
【００１９】
前記両側板２ａ、２ｂは、例えば、透明合成樹脂からなる透明板材により形成されるとともに、その正面側の端縁下部及びその上側に例えば２箇所のスクリーン３２係止用の受凹部３を各々設けている。また、前記両側板２ａ、２ｂの背面側の端縁には、摘みネジ５１挿通用の凹部４を上下２箇所に亙って各々設けている。前記両側板２ａ、２ｂの上部側の端縁近傍には、摘みネジ５１のネジ込み挿通用の凹部５を各々設けている。前記両側板２ａ、２ｂの下部側で正面近傍の下端部に摘みネジ５１のネジ込み挿通用の凹部６を各々設けている。
【００２０】
また、前記両側板２ａ、２ｂの下部側の端縁近傍には、空気流通用の空気穴７を複数個（例えば５個）端縁に沿って各々穿設している。更に、前記両側板２ａ、２ｂの正面側の端縁上部には、前記上蓋体２１の正面側の両端部が装着される切欠段部８を各々設けている。
【００２１】
前記背面体１１は、例えば、透明合成樹脂からなる透明板材により形成されるとともに、その略中央部分に四角形状の前記開口部分１２を設けた背面板１１ａと、この背面板１１ａの左右両側辺部分を挟み込むようにてＬ状に折曲形成され前記両側板２ａ、２ｂと同方向に各々突出する側板外受片１４、側板内受片１５を各々添設し、これら側板外受片１４、側板内受片１５間に形成される前記両側板２ａ、２ｂと同方向で上下方向の隙間１６内に前記両側板２ａ、２ｂの背面側を嵌着するように構成している。
【００２２】
更に、前記側板外受片１４には、前記両側板２ａ、２ｂの背面側の端縁に形成した摘みネジ５１挿通用の上下２箇所の凹部４に対応する配置で、上下２箇所の摘みネジ５１が配置され、一方、前記側板内受片１５には、前記上下２箇所の凹部４に対応する配置で、摘みネジ５１螺合用のネジ孔１７を上下２箇所に設けている。前記側板内受片１５の突出端側は、側板２ａ、２ｂを隙間１６内に嵌着し易すくするために各々内方に屈曲形成している。
【００２３】
従って、前記各隙間１６内に前記両側板２ａ、２ｂの背面側を各々嵌着し、各摘みネジ５１を凹部４を貫通してネジ孔１７にネジ込むことで、前記両側板２ａ、２ｂの背面側を前記背面体１１の両側辺部分に一体的に取り付け、また、摘みネジ５１を緩める（ネジ込み解除）ことで、前記両側板２ａ、２ｂを前記背面体１１から取り外すことが可能となっている。
【００２４】
前記背面板１１ａの上部両隅には、前記上蓋体２１の背面側の両端隅部を装着するために切欠段部１８を各々設けている。また、前記背面板１１ａの下端側には水分計６０の電源ケーブル等を挿通するための切欠部１９を設けている。
【００２５】
前記背面体１１の開口部分１２には、上端が背面体１１にシート抑え部材２０ａ及び止めネジ２０ｂにより固着され、下端側が開口部分１２の後方へ屈曲可能な状態で例えば透明合成樹脂の薄板材により形成した背面シート２０を添設している。前記背面板１１ａの上端近傍には、摘みネジ５１のネジ込み挿通用の凹部１１ｂを設けている。
【００２６】
前記上蓋体２１は、図４に示すように、前記両側板２ａ、２ｂ及び背面体１１の上部を閉塞しかつ周辺部を囲むように、略矩形状に形成した上板２２の奥行方向両側及び背面に垂下片２２ａ、２２ｂ、２２ｃを有し、垂下片２２ａ、２２ｂには各々前記凹部５にネジ込み挿通する摘みネジ５１を配置している。また、前記垂下片２２ｃには前記凹部１１ｂにネジ込み挿通するための摘みネジ５１を配置している。
【００２７】
前記上蓋体２１の正面側には、透明のスクリーン３２を巻回したロールスクリーン３１の芯３３の両端を回転可能に保持するとともに、前記切欠段部８を囲むようにして装着されるロールスクリーン保持部３４を設けている。
ロールスクリーン保持部３４は、芯３３の両端を回転可能に保持するブラケット３５を前記上板２２にネジ３６を用いて取り付け、芯３３に巻回した透明のスクリーン３２を垂直上下方向に巻き出し展開又は巻き込み収納可能としている。
【００２８】
前記スクリーン３２の突出端には、その幅方向両側に突出する操作棒３７が取り付けられ、この操作棒３７の両端を前記受凹部３、３に係止することで、巻き出し展開したスクリーン３２によって前記両側板２ａ、２ｂ及び上蓋体２１の正面側にて画される開口領域を閉塞し、また、操作棒３７の両端を前記受凹部３、３から外し、スクリーン３２を巻き込み収納することで前記開口領域を解放するようになっている。前記ロールスクリーン３１は、スクリーン３２の汚れの程度等に応じて適宜取り替え可能としている。
【００２９】
前記上蓋体２１の上板２２には、前記内部空間５０側からの測定試料（図示せず）が発する臭気の脱臭を行うブロック状に形成され、かつ、ハニカム構造で臭吸着剤を塗布した２個構成の脱臭フィルタ２３、２３を組み込んでいる。
【００３０】
すなわち、前記上板２２には、矩形皿状で、底部に脱臭フィルタ２３、２３用の矩形穴２５、２５を設けた上部が開口した箱型状のフィルタ保持体２６を内部空間５０側から添着し、溶接によって一体化するとともに、フィルタ保持体２６の開口部分に矩形状の抜穴２４、２４を設けた蓋板３８を装着し、摘みネジ５１、５１のねじ込みにより蓋板３８の両端部をフィルタ保持体２６に対して着脱可能に取り付けている。
而して、フィルタ保持体２６の矩形穴２５、２５と前記抜穴２４、２４に臨ませて脱臭フィルタ２３、２３を配置することで、これら脱臭フィルタ２３、２３により前記内部空間５０側からの測定試料が発する臭気を吸着し、脱臭を行うように構成している。
【００３１】
前記脱臭フィルタ２３、２３としては、使い捨てタイプ（メンタナンスフリー）で安価なものを使用でき、また、光触媒を用いたフィルタを使用する等、本実施例の脱臭機能付風防ケース１の使用状況に応じたフィルタを採用することが可能である。また、前記両側板２ａ、２ｂの内壁や、前記スクリーン３２の内壁等に光触媒や臭吸着剤を塗布した構成とすることもできる。
【００３２】
前記正面補強体４１は、図２、図５に示すように、前記両側板２ａ、２ｂの正面側における下端部の下側から摘みネジ５１、５１を用いて着脱可能に取り付け、両側板２ａ、２ｂの正面側の下端部の補強を行うようになっている。
【００３３】
すなわち、前記正面補強体４１は、底部ブラケット４２の両端に設けた折曲片４３、４３に摘みネジ５１、５１を配置し、この摘みネジ５１、５１を前記両側板２ａ、２ｂの正面側の下端部に各々設けた凹部６、６に各々ネジ込み挿通することで、前記両側板２ａ、２ｂの正面側の下端部に着脱可能に取り付けるように構成している。
【００３４】
次に、上述した構成の本実施例に係る脱臭機能付風防ケース１の作用を図６をも参照して説明する。
【００３５】
本実施例に係る脱臭機能付風防ケース１によれば、図４に示すように、設置面７０上に載置した水分計６０の上方から脱臭機能付風防ケース１を下降させ、内部空間５０内に水分計６０を収容するとともに、前記ロールスクリーン３１のスクリーン３２を、操作棒３７を引いて巻き出し展開し、更に操作棒３７の両端を前記受凹部３、３に係止することで、巻き出し展開したスクリーン３２によって前記両側板２ａ、２ｂ及び上蓋体２１の正面側にて画される開口領域を閉塞することができる。
【００３６】
これにより、水分計６０の全周を設置面７０、前記両側板２ａ、２ｂ、上蓋体２１、背面体１１によって取り囲んで、前記水分計６０により試料の水分測定を行う際の風防機能を確実に発揮させ、測定に悪影響を及ぼす風等が水分計６０に当たることを完全に無くすことができる。
【００３７】
また、水分計６０にセットする測定試料が、例えば汚泥等のような悪臭を発するものである場合においても、前記上蓋体２１に組み込んだ２個構成の脱臭フィルタ２３、２３の脱臭機能により悪臭を吸着除去でき、これにより、悪臭が室内等周囲環境へ放散、拡散することを未然に防止できる。
【００３８】
前記脱臭フィルタ２３、２３は、摘みネジ５１を緩め、蓋板３８を取り外すことによって、前記上板２２の外部に容易に取り出し取り替えることができ、必要に応じて試料の種類に対応した最適な脱臭フィルタ２３、２３を使用することが可能となる。
【００３９】
更に、前記両側板２ａ、２ｂ、上蓋体２１、前記背面体１１及びスクリーン３２は、各々透明材により形成しているので、水分計６０により試料を測定している間でも、外部から水分計６０による測定状態を確認することができる。
【００４０】
本実施例に係る脱臭機能付風防ケース１によれば、前記ロールスクリーン３１のスクリーン３２が、簡略な操作にて前記開孔領域において垂直上下方向に巻き出し展開、巻き込み収納可能となっているので、水分計６０に対する試料の出し入れが容易であるとともに、従来例のような開閉式の扉を設けた場合に比べ、この脱臭機能付風防ケース１の正面側の省スペースを図ることができる。
【００４１】
更に、本実施例に係る脱臭機能付風防ケース１によれば、前記両側板２ａ、２ｂ、上蓋体２１、背面体１１及び正面補強体４１が、各々摘みネジ５１によるネジ込み挿通方式によって容易に組み立てたり、分解したりすることが可能であるために、これらを分解し平面的な状態とすることによってその運搬や保管が容易となり、また、これらを測定現場で組み立てることも極めて簡略となり、取り扱いが極めて便利である。
【００４２】
更にまた、図６に示すように、例えば水分計６０が背面後方へ開く上蓋６１を備える構成の場合のように、前記内部空間５０から一部はみ出す要素を有する場合においても、前記背面シート２０の下端側が前記開口部分１２の後方へ屈曲可能であるため、上蓋６１を背面後方へ開いて背面シート２０に当てて後方へ屈曲させ、この状態で水分計６０の所定箇所に対する試料のセット等を行うことができ、これにより、形状、機能が異なる複数種の測定器にも対応することが可能となる。
【産業上の利用可能性】
【００４３】
本考案は、上述した水分計の他、電子天秤その他の種々の測定器等における脱臭、風防用として幅広く適用可能である。
【図面の簡単な説明】
【００４４】
【図１】本考案の実施例に係る脱臭機能付風防ケースの側面図である。
【図２】本実施例に係る脱臭機能付風防ケースの平面図である。
【図３】本実施例に係る脱臭機能付風防ケースの正面図である。
【図４】本実施例に係る脱臭機能付風防ケースの断面図である。
【図５】本実施例に係る脱臭機能付風防ケースの分解斜視図である。
【図６】本実施例に係る脱臭機能付風防ケースの背面シートを後方へ屈曲させた状態を示す断面図である。
【図７】従来の風防ケースの一例を示す概略斜視図である。
【図８】従来の風防ケースの一例を示す概略斜視図である。
【符号の説明】
【００４５】
１    脱臭機能付風防ケース
２ａ  側板
２ｂ  側板
３    受凹部
４    凹部
５    凹部
６    凹部
７    空気穴
８    切欠段部
１１    背面体
１１ａ  背面板
１１ｂ  凹部
１２    開口部分
１３    背面シート
１４    側板外受片
１５    側板内受片
１６    隙間
１７    ネジ孔
１８    切欠段部
１９    切欠部
２０    背面シート
２０ａ  シート抑え部材
２０ｂ  ネジ
２１    上蓋体
２２    上板
２２ａ  垂下片
２２ｂ  垂下片
２２ｃ  垂下片
２３    脱臭フィルタ
２４    抜穴
２５    矩形穴
２６    フィルタ保持体
３１    ロールスクリーン
３２    スクリーン
３３    芯
３４    ロールスクリーン保持部
３５    ブラケット
３６    ネジ
３７    操作棒
３８    蓋板
４１    正面補強体
４２    底部ブラケット
４３    折曲片
５０    内部空間
５１    ネジ
６０    水分計
６１    上蓋
７０    設置面
【図１】
0003120612.tif 000003
【図２】
0003120612.tif 000004
【図３】
0003120612.tif 000005
【図４】
0003120612.tif 000006
【図５】
0003120612.tif 000007
【図６】
0003120612.tif 000008
【図７】
0003120612.tif 000009
【図８】
0003120612.tif 000010
【手続補正書】
【提出日】平成18年2月20日(2006.2.20)
【手続補正１】
【補正対象書類名】明細書
【補正対象項目名】００２５
【補正方法】変更
【補正の内容】
【００２５】
前記背面体１１の開口部分１２には、上端が背面体１１にシート抑え部材２０ａ及び止めネジ２０ｂにより固着され、下端側が開口部分１２の後方へ屈曲可能な状態で例えば透明合成樹脂の薄板材により形成した背面シート１３を添設している。前記背面板１１ａの上端近傍には、摘みネジ５１のネジ込み挿通用の凹部１１ｂを設けている。
【手続補正２】
【補正対象書類名】明細書
【補正対象項目名】００４２
【補正方法】変更
【補正の内容】
【００４２】
更にまた、図６に示すように、例えば水分計６０が背面後方へ開く上蓋６１を備える構成の場合のように、前記内部空間５０から一部はみ出す要素を有する場合においても、前記背面シート１３の下端側が前記開口部分１２の後方へ屈曲可能であるため、上蓋６１を背面後方へ開いて背面シート１３に当てて後方へ屈曲させ、この状態で水分計６０の所定箇所に対する試料のセット等を行うことができ、これにより、形状、機能が異なる複数種の測定器にも対応することが可能となる。
【手続補正３】
【補正対象書類名】明細書
【補正対象項目名】００４５
【補正方法】変更
【補正の内容】
【００４５】
１    脱臭機能付風防ケース
２ａ  側板
２ｂ  側板
３    受凹部
４    凹部
５    凹部
６    凹部
７    空気穴
８    切欠段部
１１    背面体
１１ａ  背面板
１１ｂ  凹部
１２    開口部分
１３    背面シート
１４    側板外受片
１５    側板内受片
１６    隙間
１７    ネジ孔
１８    切欠段部
１９    切欠部
２０ａ  シート抑え部材
２０ｂ  ネジ
２１    上蓋体
２２    上板
２２ａ  垂下片
２２ｂ  垂下片
２２ｃ  垂下片
２３    脱臭フィルタ
２４    抜穴
２５    矩形穴
２６    フィルタ保持体
３１    ロールスクリーン
３２    スクリーン
３３    芯
３４    ロールスクリーン保持部
３５    ブラケット
３６    ネジ
３７    操作棒
３８    蓋板
４１    正面補強体
４２    底部ブラケット
４３    折曲片
５０    内部空間
５１    ネジ
６０    水分計
６１    上蓋
７０    設置面